【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
患者における組織部位の治療用減圧システムと共に使用される減圧源であって、
密閉された空間を形成するポンプハウジングにおいて、閉鎖部材が前記ポンプハウジングの少なくとも一部分を形成する、ポンプハウジングと、
前記密閉された空間内に配設される真空ポンプと、
減圧を送給するための、前記真空ポンプに流体連結される減圧出口と、
排気気体を前記真空ポンプから前記密閉された空間に送給するための、前記真空ポンプに流体連結される排気出口と、
を含み、
前記閉鎖部材が、ベント開口なしに前記排気気体が前記密閉された空間から抜け出ることを可能にするポリマー性多孔質疎水性材料を含むことを特徴とする減圧源。
【請求項２】
請求項１に記載の減圧源において、前記ポリマー性多孔質疎水性材料が疎水性焼結ポリマーを含むことを特徴とする減圧源。
【請求項３】
請求項１に記載の減圧源において、前記ポリマー性多孔質疎水性材料が疎水性スパンボンド式不織材料を含むことを特徴とする減圧源。
【請求項４】
請求項１に記載の減圧源において、前記ポリマー性多孔質疎水性材料が疎水性ボンド式不織多孔質繊維を含むことを特徴とする減圧源。
【請求項５】
請求項１に記載の減圧源において、前記ポリマー性多孔質疎水性材料がポリオレフィン材料を含むことを特徴とする減圧源。
【請求項６】
請求項１に記載の減圧源において、前記閉鎖部材が射出成形部材を含むことを特徴とする減圧源。
【請求項７】
請求項１乃至６の何れか１項に記載の減圧源において、前記閉鎖部材に連係され、且つ湿潤すると色が変化するように構成された液体感受性色素をさらに含むことを特徴とする減圧源。
【請求項８】
請求項１乃至７の何れか１項に記載の減圧源において、前記閉鎖部材が半透明であることを特徴とする減圧源。
【請求項９】
請求項１乃至８の何れか１項に記載の減圧源において、前記閉鎖部材が前記ポンプハウジング全体を含むことを特徴とする減圧源。
【請求項１０】
請求項１乃至８の何れか１項に記載の減圧源において、前記閉鎖部材が前記ポンプハウジング上のベントパネルを含むことを特徴とする減圧源。
【請求項１１】
請求項１に記載の減圧源において、前記閉鎖部材がドレッシング被覆材を含み、前記真空ポンプが前記ドレッシング被覆材と前記患者との間に配設されるマイクロポンプを含むことを特徴とする減圧源。
【請求項１２】
請求項１乃至１１の何れか１項に記載の減圧源において、前記ポリマー性多孔質疎水性材料が吸臭材料を含むことを特徴とする減圧源。
【請求項１３】
患者における組織部位を減圧で治療するシステムであって、
前記組織部位に減圧を送給するための、前記組織部位に近接して配置される治療マニホルドと、
減圧を前記治療マニホルドに提供するための、前記治療マニホルドに流体連結される減圧源と、
前記組織部位を覆って流体シールを形成するためのシーリング部材と、
を含み、及び
前記減圧源が、
密閉された空間を形成するポンプハウジングにおいて、閉鎖部材が前記ポンプハウジングの少なくとも一部分を形成する、ポンプハウジングと、
前記密閉された空間に配設される真空ポンプと、
減圧を送給するための、前記真空ポンプに流体連結される減圧出口と、
排気気体を前記真空ポンプから前記密閉された空間に送給するための、前記真空ポンプに流体連結される排気出口と、
を含み、及び
前記閉鎖部材が、ベント開口部なしに排気気体が前記密閉された空間から抜け出ることを可能にするポリマー性多孔質疎水性材料を含むことを特徴とするシステム。
【請求項１４】
請求項１３に記載のシステムにおいて、前記ポリマー性多孔質疎水性材料が疎水性焼結ポリマーを含むことを特徴とするシステム。
【請求項１５】
請求項１３に記載のシステムにおいて、前記ポリマー性多孔質疎水性材料が疎水性スパンボンド式不織材料を含むことを特徴とするシステム。
【請求項１６】
請求項１３に記載のシステムにおいて、前記ポリマー性多孔質疎水性材料が疎水性ボンド式不織多孔質繊維を含むことを特徴とするシステム。
【請求項１７】
請求項１３に記載のシステムにおいて、前記ポリマー性多孔質疎水性材料がポリオレフィン材料を含むことを特徴とするシステム。
【請求項１８】
請求項１３に記載のシステムにおいて、前記閉鎖部材が射出成形部材を含むことを特徴とするシステム。
【請求項１９】
請求項１３乃至１８の何れか１項に記載のシステムにおいて、前記閉鎖部材に連係され、且つ湿潤すると色が変化するように構成される液体感受性色素をさらに含むことを特徴とするシステム。
【請求項２０】
請求項１３乃至１９の何れか１項に記載のシステムにおいて、前記閉鎖部材が半透明であることを特徴とするシステム。
【請求項２１】
請求項１３乃至２０の何れか１項に記載のシステムにおいて、前記閉鎖部材が前記ポンプハウジング全体を含むことを特徴とするシステム。
【請求項２２】
請求項１３乃至２０の何れか１項に記載のシステムにおいて、前記閉鎖部材が前記ポンプハウジング上のベントパネルを含むことを特徴とするシステム。
【請求項２３】
請求項１３に記載のシステムにおいて、前記閉鎖部材がドレッシング被覆材を含み、及び前記真空ポンプが、前記ドレッシング被覆材と前記患者との間に配設されたマイクロポンプを含むことを特徴とするシステム。
【請求項２４】
請求項１３乃至２３の何れか１項に記載のシステムにおいて、前記ポリマー性多孔質疎水性材料が吸臭材料を含むことを特徴とするシステム。
【請求項２５】
患者における組織部位の治療用減圧システムと共に使用される減圧の生成方法であって、
密閉された空間を形成するステップにおいて、前記密閉された空間の少なくとも一部分が、ポリマー性多孔質疎水性材料を含む閉鎖部材により形成される、ステップと、
前記密閉された空間内に真空ポンプを配設するステップにおいて、前記真空ポンプが減圧出口と排気出口とを含み、且つ前記閉鎖部材が、ベント開口部なしに排気気体が前記密閉された空間から抜け出ることを可能にするステップと、
前記排気気体を、ベント開口部なしに前記密閉された空間から前記閉鎖部材を通じて排気するステップと、
前記減圧を所望の位置に送給するステップと、
を含むことを特徴とする方法。
【請求項２６】
請求項２５に記載の方法において、前記ポリマー性多孔質疎水性材料が疎水性焼結ポリマーを含むことを特徴とする方法。
【請求項２７】
請求項２５に記載の方法において、前記ポリマー性多孔質疎水性材料が疎水性スパンボンド式不織材料を含むことを特徴とする方法。
【請求項２８】
請求項２５に記載の方法において、前記ポリマー性多孔質疎水性材料が疎水性ボンド式不織多孔質繊維を含むことを特徴とする方法。
【請求項２９】
請求項２５に記載の方法において、前記ポリマー性多孔質疎水性材料がポリオレフィン材料を含むことを特徴とする方法。
【請求項３０】
請求項２５に記載の方法において、前記ポリマー性多孔質疎水性材料が、疎水性焼結ポリマーと、湿潤すると色が変化するように構成された、前記閉鎖部材に連係される液体感受性色素とを含むことを特徴とする方法。
【請求項３１】
請求項２５乃至３０の何れか１項に記載の方法において、前記閉鎖部材が前記ポンプハウジング全体を含むことを特徴とする方法。
【請求項３２】
請求項２５乃至３０の何れか１項に記載の方法において、前記閉鎖部材が前記ポンプハウジング上のベントパネルを含むことを特徴とする方法。
【請求項３３】
請求項２５に記載の方法において、前記閉鎖部材がドレッシング被覆材を含み、及び前記真空ポンプが、前記ドレッシング被覆材と前記患者との間に配設されたマイクロポンプを含むことを特徴とする方法。
【請求項３４】
請求項２５乃至３３の何れか１項に記載の方法において、前記ポリマー性多孔質疎水性材料が吸臭材料を含むことを特徴とする方法。
【請求項３５】
患者における組織部位の治療用減圧システムと共に使用される減圧源を製造する方法であって、
密閉された空間を形成するポンプハウジングを形成するステップにおいて、前記ポンプハウジングの少なくとも一部分を含む閉鎖部材を形成するステップを含む、ポンプハウジングを形成するステップと、
前記密閉された空間内に真空ポンプを配設するステップにおいて、前記真空ポンプが、減圧を送給するための、前記真空ポンプに流体連結される減圧出口と、排気気体を前記真空ポンプから前記密閉された空間に送給するための、前記真空ポンプに流体連結される排気出口とを含む、ステップと、
を含み、
前記閉鎖部材が、前記排気気体を前記密閉された空間から抜け出させるように機能するポリマー性多孔質疎水性材料を含むことを特徴とする方法。
【請求項３６】
請求項３５に記載の方法において、前記ポンプハウジングを形成するステップが、前記閉鎖部材を射出成形するステップを含むことを特徴とする方法。
【請求項３７】
請求項３５に記載の方法において、前記閉鎖部材を形成するステップが、ラミネート部材を形成し、前記ラミネート部材の周囲にオーバーモールドして前記閉鎖部材を形成するステップを含むことを特徴とする方法。
【請求項３８】
請求項３５に記載の方法において、前記閉鎖部材を形成するステップが、ポリマー部材を形成するステップと、それを通じる孔を形成するステップとを含むことを特徴とする方法。
【請求項３９】
請求項３５に記載の方法において、前記閉鎖部材を形成するステップが、前記ポリマー性多孔質疎水性材料から第１の部分の閉鎖部材を射出成形するステップと、第２の部分を、前記ポリマー性多孔質疎水性材料より剛性が高い材料から射出成形するステップとを含むことを特徴とする方法。
【請求項４０】
患者における組織部位を減圧で治療するドレッシングであって、
前記組織部位に近接して配置される治療マニホルドと、
前記組織部位から流体を受け入れて保持する吸収層と、
排気出口を有するマイクロポンプにおいて、減圧と、前記排気出口から出る排気とを生成するマイクロポンプと、
前記治療マニホルド、前記吸収層、及び前記マイクロポンプを被覆して、第１の部分と第２の部分とを有する密閉された空間を形成する閉鎖カバーと、
を含み、
前記マイクロポンプの前記排気出口の中（ｗｈｅｒｅｉｎ  ｉｎ）が前記密閉された空間の前記第１の部分に流体連結されて、前記密閉された空間の前記第１の部分に排気を提供し、及び前記マイクロポンプが前記密閉された空間の前記第２の部分に流体連結されて、前記密閉された空間の前記第２の部分に減圧を提供し、及び
前記閉鎖カバーの少なくとも一部分がポリマー性多孔質疎水性材料から形成され、前記排気が前記密閉された空間から放出されることを可能にするように構成されることを特徴とするドレッシング。
【請求項４１】
請求項４０に記載のドレッシングにおいて、前記ポリマー性多孔質疎水性材料が疎水性焼結材料を含むことを特徴とするドレッシング。
【請求項４２】
請求項４０に記載のドレッシングにおいて、前記ポリマー性多孔質疎水性材料が疎水性スパンボンド式不織材料を含むことを特徴とするドレッシング。
【請求項４３】
請求項４０に記載のドレッシングにおいて、前記ポリマー性多孔質疎水性材料が疎水性ボンド式不織多孔質繊維を含むことを特徴とするドレッシング。
【請求項４４】
請求項４０に記載のドレッシングにおいて、前記ポリマー性多孔質疎水性材料がポリオレフィン材料を含むことを特徴とするドレッシング。
【請求項４５】
請求項４０乃至４４の何れか１項に記載のドレッシングにおいて、液体−気体隔離体とダイバータ層とをさらに含むことを特徴とするドレッシング。
【請求項４６】
請求項４０乃至４４の何れか１項に記載のドレッシングにおいて、前記組織部位からの液体が前記マイクロポンプに到達することを防ぐ液体−気体隔離体と、前記マイクロポンプからの減圧を分配するためのダイバータ層と、前記治療マニホルドの外側に前記組織部位に近接して配置されるシーリング層と、前記閉鎖カバーの少なくとも一部分を覆って配設されるシーリング部材とをさらに含むことを特徴とするドレッシング。